(57)【要約】【課題】  電子機器を卓上で使用するときに設置角度を急な傾斜角度（ハイアングル）に設定した場合、電子機器の卓面への投影面積よりもベース部材が小さくなる構造を実現し、省スペース化を図ることができるようにする。【解決手段】  リンク機構を構成する複数のベース部材から成る電子機器の角度設定構造であって、それぞれのベース部材は回転自在に係合し、電子機器の設置角度を急な傾斜角度（ハイアングル）に設定した時に回転して折りたためるようにする。【選択図】  図１
0003154373.tif 000002
【実用新案登録請求の範囲】
【請求項１】
リンク機構を構成する複数のベース部材から成る電子機器の角度設定構造であって、
前記電子機器と回転自在に係合される第１のベース部材と、前記第１のベース部材と回転自在に係合される第２のベース部材と、
前記第２のベース部材と回転自在に係合される第３のベース部材から成り、前記第１のベース部材の長さは、前記電子機器の筺体底部の長さＬとハイアングル時の前記電子機器の筺体底部と当該第１のベース部材のなす角θmaxに対してＬ×cosθmax以下とし、
前記第２のベース部材と前記第３のベース部材は、回転自在に係合されると共に、ハイアングル時に前記第３のベース部材の非係合部位を前記電子機器に挿入し、ミドルアングル時に当該係合部位を前記電子機器に挿入することを特徴とする角度設定構造を有する電子機器。
【考案の詳細な説明】
【技術分野】
【０００１】
本考案は、卓上で使用するときに設置角度を設定できる角度設定構造を有する電子機器に関するものである。
【背景技術】
【０００２】
従来の電子機器の角度設定構造として、筐体底部とベース部材の片側が回転できるように係合し、筐体底部と回転できるように係合しているスタンドが筐体を支持することにより、電子機器の設置角度を設定するものがある（例えば、特許文献１）。
上述した従来の電子機器の角度設定構造においては、筐体底部と同一サイズのベース部材が単一部品で構成されているため、いかなる角度においても卓面に占める面積が一定となっていた。
このため、急な傾斜角度（ハイアングル）に設定した場合、電子機器の卓面への投影面積がベース部材よりも小さくなっておりそこに無駄な面積が生じていた。図１１は、上述した従来の電子機器１の設置角度を急な傾斜角度に設定した場合を示している。ベース部材３の卓面に占める寸法をＡ、電子機器１の投影寸法をＢとする。その際、Ａ−Ｂ＝Ｃの領域が無駄となっている。
【先行技術文献】
【特許文献】
【０００３】
【特許文献１】特許第３７４４５５８号公報
【考案の概要】
【考案が解決しようとする課題】
【０００４】
本考案の課題は、上記の問題点を解決するために、電子機器の卓面に占める面積を小さくしハイアングル時であっても電子機器の卓面への投影面積よりもベース部材が小さくなる構造を実現することにある。
【課題を解決するための手段】
【０００５】
本考案は、リンク機構を構成する複数のベース部材から成る電子機器の角度設定構造であって、前記電子機器と回転自在に係合される第１のベース部材と、前記第１のベース部材と回転自在に係合される第２のベース部材と、前記第２のベース部材と回転自在に係合される第３のベース部材から成り、前記第１のベース部材の長さは、前記電子機器の筺体底部の長さＬとハイアングル時の前記電子機器の筺体底部と当該第１のベース部材のなす角θmaxに対してＬ×cosθmax以下とし、前記第２のベース部材と前記第３のベース部材は、回転自在に係合されると共に、ハイアングル時に前記第３のベース部材の非係合部位を前記電子機器に挿入し、ミドルアングル時に当該係合部位を前記電子機器に挿入することを特徴とする。
【考案の効果】
【０００６】
本考案によれば、電子機器をハイアングルに設置した場合に省スペース化を図れる効果がある。
【図面の簡単な説明】
【０００７】
【図１】本考案による一実施例の全体構成を示す側面図（平置き／壁掛け時）
【図２】本考案による一実施例のベース部材構成を示す平面図（平置き／壁掛け時）
【図３】本考案による一実施例のベース部材構成を示す側面図（平置き／壁掛け時）
【図４】本考案による一実施例の全体構成を示す側面図（ローアングル時）
【図５】本考案による一実施例のベース部材構成を示す平面図（ローアングル時）
【図６】本考案による一実施例のベース部材構成を示す側面図（ローアングル時）
【図７】本考案による一実施例の全体構成を示す側面図（ミドルアングル時）
【図８】本考案による一実施例のベース部材構成を示す側面図（ミドルアングル時）
【図９】本考案による一実施例の全体構成を示す側面図（ハイアングル時）
【図１０】本考案による一実施例のベース部材構成を示す側面図（ハイアングル時）
【図１１】従来の構成におけるハイアングル時の側面図
【考案を実施するための形態】
【０００８】
以下、本考案の実施形態について、図面を用いて説明する。
【０００９】
図３に示すようにベース部材をベースＬ１０、ベースＭ２０、ベースＨ３０の３部品の構成とする。図１に示すようにベースＬ１０とベースＭ２０をリンク機構５０で係合し、ベースＭ２０とベースＨ３０をリンク機構６０で係合している。また、ベースＬ１０と筐体底部８０をリンク機構４０で係合し、ベースＨ３０と筐体底部８０をリンク機構７０で係合している。ベースＭ２０−ベースＨ３０間のリンク機構６０にはスライド移動を可能にするために長円形状にしている。ベースＭ２０には、倒れ防止のためのストッパーとなるリブ２１を設けている。ベースＨ３０には、ローポジション時に角度を持たせるための突起３１を設けている。壁掛け時に用いるネジ穴１１、ネジ穴３２、ネジ穴３３、ネジ穴３４としてベースＬ１０に１箇所、ベースＨ３０に３箇所設けている。筐体底部８０にはミドルアングル用凹部８１、ハイアングル用凹部８２、平置き／壁掛け時に突起３１の逃げとなる凹部８３を設けている。
下記にて各角度時の説明をする。尚、電子機器１と卓面のなす角度をθとし、ローアングル時をθＬ、ミドルアングル時をθＭ、ハイアングル時をθＨとした場合、θＬ＜θＭ＜θＨの関係となる。
【００１０】
図１、２、３にて平置き／壁掛け時の説明をする。ベースＬ１０、ベースＭ２０、ベースＨ３０を設置面に水平になるように展開する。その際、リンク機構６０はベースＭ２０側に係合した状態にする。突起３１は、凹部８３に遊挿される状態になり電子機器を設置面と水平にすることができる。
【００１１】
図４、５、６にてローアングル時の説明をする。平置き／壁掛け時の状態からリンク機構７０を外す。次にリンク機構６０はベースＨ３０側に係合した状態にする。突起３１は、筐体底部８０に当接し保持することにより電子機器を設置面から立てた状態にすることができる。本図例は、電子機器に設置面から３°の傾斜を持たせることができる。
【００１２】
図７、８にてミドルアングル時の説明をする。図６のローアングル時の状態からベースＨ３０をＡ方向に回転させベースＭ２０内に収納する。ベースＭ２０及びベースＨ３０をＢ方向に回転させ凹部８１に挿入し保持することにより電子機器を図４よりも立てた状態にすることができる。本図例は、電子機器に設置面から３０°の傾斜を持たせることができる。
【００１３】
図９、１０にてハイアングル時の説明をする。ローアングル時の状態からリンク機構６０はベースＭ２０側に係合した状態にする。ベースＭ２０及びベースＨ３０をＣ方向に回転させ凹部８２に挿入し保持することにより電子機器を図７よりも立てた状態にすることができる。本図例は、電子機器に設置面から６０°の傾斜を持たせることができる。
【符号の説明】
【００１４】
１…電子機器、２…スタンド、３…ベース部材、４…卓面、１０…ベースＬ、１１…壁掛け時に用いるネジ穴、２０…ベースＭ、２１…倒れ防止のためのストッパーとなるリブ、３０…ベースＨ、３１…ローポジション時に角度を持たせるための突起、３２…壁掛け時に用いるネジ穴、３３…壁掛け時に用いるネジ穴、３４…壁掛け時に用いるネジ穴、４０…リンク機構、５０…リンク機構、６０…リンク機構、７０…リンク機構、８０…筐体底部、８１…ミドルアングル用凹部、８２…ハイアングル用凹部、８３…平置き／壁掛け時に突起３１の逃げとなる凹部
【図１】
0003154373.tif 000003
【図２】
0003154373.tif 000004
【図３】
0003154373.tif 000005
【図４】
0003154373.tif 000006
【図５】
0003154373.tif 000007
【図６】
0003154373.tif 000008
【図７】
0003154373.tif 000009
【図８】
0003154373.tif 000010
【図９】
0003154373.tif 000011
【図１０】
0003154373.tif 000012
【図１１】
0003154373.tif 000013